(57)【要約】      （修正有）【課題】ブラケットの一端側をスリットに差し込むだけで、バイザー本体とブラケットとを直接に連結できるようにしたブラケットの取付け構造において、挿入方向におけるブラケットの長さを短くして、ブラケットの下端が庇部を通して外部から見えないようにしたブラケットの取付け構造を提供する。【解決手段】ブラケット２における主板部２ａの一端に、他端側に向けて緩やかな傾斜面を持って立上った弾性係止片２ｃを形成する一方、バイザー本体６の庇部６ｂの裏面には、ブラケットの一端側を挿入するためのスリット８と、スリットに挿入されたブラケットの弾性係止片の先端と係合する抜止め用係止部９とを有する隆起部１０を形成し、弾性係止片を主板部側へ弾性変形させつつブラケットの一端側をスリットに挿入することにより、スリット８を通過した弾性係止片２ｃの先端が抜止め用係止部９と係合するように構成する。【選択図】図２
0003143114.tif 000002
【実用新案登録請求の範囲】
【請求項１】
バイザー本体の庇部の裏面に、ブラケットの一端側を挿入するためのスリットを形成する隆起部を形成し、ブラケットの一端側をスリットに挿入することにより、ブラケットの一端側に設けた弾性係止片の先端が隆起部の一部と係合して抜け止めされるように構成したことを特徴とする自動車用ドアバイザーにおけるブラケットの取付け構造。
【請求項２】
ブラケットにおける主板部の一端に、他端側に向けて緩やかな傾斜面を持って立上った板バネ状の弾性係止片を形成する一方、バイザー本体の庇部の裏面には、ブラケットの一端側を挿入するためのスリットと、スリットに挿入されたブラケットの弾性係止片の先端と係合する抜止め用係止部とを有する隆起部を形成し、弾性係止片を主板部側へ弾性変形させつつブラケットの一端側をスリットに挿入することにより、スリットを通過した弾性係止片の先端が弾性係止片の弾性復元力によって抜止め用係止部と係合するように構成したことを特徴とする請求項１に記載の自動車用ドアバイザーにおけるブラケットの取付け構造。
【請求項３】
抜止め用係止部がスリットの下方に併設した第二のスリットによって形成されていることを特徴とする請求項１又は２に記載の自動車用ドアバイザーにおけるブラケットの取付け構造。
【請求項４】
抜止め用係止部が隆起部の庇部裏面と対向する面を鈍角状に屈曲させた屈曲面によって形成されていることを特徴とする請求項１又は２に記載の自動車用ドアバイザーにおけるブラケットの取付け構造。
【請求項５】
弾性係止片が主板部を斜めに折り返すことによって形成されていることを特徴とする請求項１〜４の何れかに記載の自動車用ドアバイザーにおけるブラケットの取付け構造。
【請求項６】
弾性係止片が主板部の一部を斜めに切り起こすことによって形成されていることを特徴とする請求項１〜５の何れかに記載の自動車用ドアバイザーにおけるブラケットの取付け構造。
【考案の詳細な説明】
【技術分野】
【０００１】
本考案は、自動車用ドアバイザーにおけるブラケットの取付け構造に関し、詳しくは、ブラケットの一端側をバイザー本体の庇部裏面と隆起部との間に形成されたスリットに差し込むだけで、バイザー本体とブラケットとを直接に連結できるようにしたブラケット取付け構造の改良に関する。
【背景技術】
【０００２】
一般に、自動車用ドアバイザーは、合成樹脂製バイザー本体のフランジ部をドアのサッシュの上辺部外側面に両面接着テープで接合し、サッシュの上辺部に装着された金属製ブラケットの一端側をバイザー本体の庇部に連結することによって取り付けるように構成されており、ブラケットの一端側とバイザー本体の庇部とは、金属製リベットや先端に拡径部を有するナイロンリベットで取り付けるように構成されている。
【０００３】
この構成によれば、次のような問題点があった。
（１）リベット頭部がバイザー本体の庇部表面に露出するため、見栄えが悪く、ドアバイザーとしての装飾的効果が損なわれる。
（２）ブラケットとバイザー本体の連結に別部材（ナイロンリベット等）を用いるため、部品点数が多く、コストも高く付く。
（３）リベット止めに専用の工具を必要とし、ユーザー側でのかしめ作業が困難であるため、製造者側でリベット止めして出荷する必要があり、これがコスト高の要因となっている。
（４）リベット止めするので、ドアバイザーを取り外して廃棄する際、ブラケットとバイザー本体の分離が容易でなく、樹脂と金属との分別廃棄が困難である。
【０００４】
このような問題点の解決を目指して、本考案者は、図５、図６に示すブラケットの取付け構造を開発し、特開２００５−１７００７８号公報（特許文献１）として既に提案している。
【０００５】
このブラケットの取付け構造は、バイザー本体６の庇部６ｂの裏面に、庇部６ｂ裏面との間にブラケット２の一端側を挿入するためのスリット８を形成する断面略門型の隆起部１０ａと、隆起部１０ａからブラケット挿入方向へ離れた位置において庇部６ｂ裏面から突出し且つブラケット挿入方向下手側ほど高くなる傾斜面を有する係止用突起６ｃとを形成する一方、ブラケット２の一端側には、前記係止用突起６ｃと係合する切欠部（例えば、貫通孔）２ｄを形成し、ブラケット２の挿入に伴い、ブラケット２の一端側がブラケット２の弾性復元力に抗して前記傾斜面に乗り上げ、ブラケット２の弾性復元力によって前記切欠部２ｄが係止用突起６ｃと係合するように構成したものである。
【０００６】
上記の構成よりなるブラケットの取付け構造は、次のような優れた利点を有する。
（１）ブラケットの一端側を、バイザー本体の庇部裏面と略門型の隆起部との間に形成されたスリットに差し込むだけで、ブラケットとバイザー本体を連結できるので、特別な工具を用いることなしに、ブラケットとバイザー本体を容易に連結でき、連結後の状態において、庇部表面にリベット頭部が露出することもない。
（２）ブラケットとバイザー本体の連結に、金属製リベットやナイロンリベットを用いないため、構成部品点数が少なくて済み、ユーザー側での連結が可能であることと相まって大幅なコストダウンを図り得る。
（３）ドアバイザーを取り外して廃棄する際、ブラケットの弾性復元力に抗して切欠部と係止用突起との係合を外すことができるので、バイザー本体とブラケットとの分別廃棄（
樹脂と金属との分別廃棄）が容易である。
【０００７】
しかしながら、試作研究の結果、図５、図６で示したブラケットの取付け構造では、ドアバイザーとしての装飾的効果を確保する上で、未だ次のような問題点があることが確認された。
【０００８】
即ち、図５、図６で示したブラケットの取付け構造では、ブラケット２の一端側をバイザー本体６の庇部裏面に設けた隆起部１０ａのスリット８に挿入し、庇部裏面の隆起部１０ａからブラケット挿入方向へ離れた位置に設けられた係止用突起６ｃに、ブラケット２の一端側に形成された切欠部２ｄを係合させるように構成されていた。そのため、必然的にブラケット２が挿入方向に長い形状となり、図６に示すように、ブラケット２の下端が、窓枠３に装着されるガラスランチャンネル４の下端レベルａから下方へある程度の距離Ｌにわたって突き出した状態とならざるを得ない。
【０００９】
従って、この突き出したブラケット部分が透明な庇部６ｂを通して自動車の側方から見えることになり、ドアバイザーとしての装飾的効果を確保し難かったのである。即ち、バイザー本体６の庇部６ｂは透明な合成樹脂製であるが、窓枠３やガラスランチャンネル４は金属やゴム等によって構成された不透明な部分であるから、この不透明な部分と重なり合う位置にある庇部裏面のブラケット部分は、外部から殆ど目に付かないが、不透明な部分よりも下方に突き出したブラケット部分（ガラスランチャンネル４の下端レベルａより下のブラケット部分）は、庇部６ｂを通して外部からよく見えることになり、これが装飾的価値を低下させる要因となる。
【００１０】
【特許文献１】特開２００５−１７００７８号公報
【考案の開示】
【考案が解決しようとする課題】
【００１１】
本考案は、上述した自動車用ドアバイザーにおけるブラケットの取付け構造を改良したものであって、その目的とするところは、ブラケットの一端側をバイザー本体の庇部裏面と隆起部との間に形成されたスリットに差し込むだけで、バイザー本体とブラケットとを直接に連結できるようにした構成部品点数の少ない簡単な構造であるにもかかわらず、挿入方向におけるブラケットの長さを短くすることができ、ブラケットの下端がガラスランチャンネルの下端レベルから下方へ突き出さないようにすることができるため、ブラケットが庇部を通して外部から見えることによってドアバイザーとしての装飾的効果を損なうことがないようにしたブラケットの取付け構造を提供することにある。
【課題を解決するための手段】
【００１２】
上記の目的を達成するために、本考案が講じた技術的手段は、次の通りである。即ち、請求項１に記載の考案は、バイザー本体の庇部の裏面に、ブラケットの一端側を挿入するためのスリットを形成する隆起部を形成し、ブラケットの一端側をスリットに挿入することにより、ブラケットの一端側に設けた弾性係止片の先端が隆起部の一部と係合して抜け止めされるように構成したことを特徴としている。
【００１３】
請求項２に記載の考案は、請求項１に記載の自動車用ドアバイザーにおけるブラケットの取付け構造であって、ブラケットにおける主板部の一端に、他端側に向けて緩やかな傾斜面を持って立上った弾性係止片を形成する一方、バイザー本体の庇部の裏面には、ブラケットの一端側を挿入するためのスリットと、スリットに挿入されたブラケットの弾性係止片の先端と係合する抜止め用係止部とを有する隆起部を形成し、弾性係止片を主板部側へ弾性変形させつつブラケットの一端側をスリットに挿入することにより、スリットを通過した弾性係止片の先端が抜止め用係止部と係合するように構成したことを特徴としてい
る。
【００１４】
請求項３に記載の考案は、請求項１又は２に記載の自動車用ドアバイザーにおけるブラケットの取付け構造であって、抜止め用係止部がスリットの下方に併設した第二のスリットによって形成されていることを特徴としている。
【００１５】
請求項４に記載の考案は、請求項１又は２に記載の自動車用ドアバイザーにおけるブラケットの取付け構造であって、抜止め用係止部が隆起部の庇部裏面と対向する面を鈍角状に屈曲させた屈曲面によって形成されていることを特徴としている。
【００１６】
請求項５に記載の考案は、請求項１〜４の何れかに記載の自動車用ドアバイザーにおけるブラケットの取付け構造であって、弾性係止片が主板部を斜めに折り返すことによって形成されていることを特徴としている。
請求項６に記載の考案は、請求項１〜４の何れかに記載の自動車用ドアバイザーにおけるブラケットの取付け構造であって、弾性係止片が主板部の一部を斜めに切り起こすことによって形成されていることを特徴としている。
【考案の効果】
【００１７】
請求項１に記載の考案によれば、ブラケットの一端側をスリットに挿入することにより、ブラケットの一端側に設けた弾性係止片の先端が隆起部の一部と係合して抜け止めされるので、ブラケットとバイザー本体を直接に連結できる。
請求項２に記載の考案によれば、弾性係止片を主板部側へ弾性変形させつつブラケットの一端側をスリットに挿入することにより、スリットを通過した弾性係止片の先端が抜止め用係止部と係合するので、ブラケットの一端側をスリットに差し込むだけで、ブラケットとバイザー本体を直接に連結できる。
【００１８】
殊に、請求項２に記載の考案によれば、スリットを形成する隆起部自体に抜止め用係止部を設け、スリットを通過した弾性係止片の先端が抜止め用係止部と係合するように構成したので、ブラケットの挿入方向での長さを短くすることができ、庇部を通して外部から目視し得る領域を原理的に狭くすることができる。しかも、ブラケットの挿入方向での長さを短くすることによって、ブラケットの下端をガラスランチャンネルの下端レベルから下方へ突き出さないようにすることができる。このようにすることによって、ブラケットが庇部を通して外部から見え難くなり、ドアバイザーとしての装飾的効果を損なうことがない。
【００１９】
また、ドアバイザーを取り外して廃棄する際、ブラケットの弾性係止片を弾性復元力に抗して変形させることによって、弾性係止片先端と抜止め用係止部との係合を解くことが可能であるため、バイザー本体とブラケットとの分別廃棄（樹脂と金属との分別廃棄）が容易である。
【００２０】
請求項３に記載の考案によれば、抜止め用係止部がスリットの下方に併設した第二のスリットによって形成されており、スリットを通過した弾性係止片の先端が第二のスリットに入り込んだ状態に係合するので、ブラケットとバイザー本体の連結を強固に行うことができる。
【００２１】
請求項４に記載の考案によれば、抜止め用係止部が隆起部の庇部裏面と対向する面を鈍角状に屈曲させた屈曲面によって形成されているので、スリットに対するブラケットの挿入方向とは反対方向から弾性係止片と隆起部内面との隙間にマイナスドライバーを差し込むことによって、弾性係止片を弾性復元力に抗して変形させ、弾性係止片先端と抜止め用係止部との係合を解くことができ、バイザー本体とブラケットとの分離が容易である。
【００２２】
請求項５に記載の考案によれば、弾性係止片が主板部を斜めに折り返すことによって形成されているので、ブラケットの一端側が主板部と弾性係止片の二重構造となり、ブラケットが堅牢である。
【００２３】
請求項６に記載の考案によれば、弾性係止片が主板部の一部を斜めに切り起こすことによって形成されているので、ブラケットの材料費が安くて済み、ブラケットの低コスト化が可能である。
【考案を実施するための最良の形態】
【００２４】
以下、本考案の実施形態を、図面を参照しながら説明する。図１、図２は、本考案に係る自動車用ドアバイザーにおけるブラケットの取付け構造の一例を示す。図において、１は自動車用ドアバイザー、２は金属製のブラケットである。３は自動車のドアに設けられた窓枠、４はガラスランチャンネル、５は窓ガラスである。
【００２５】
自動車用ドアバイザー１は、図２に示すように、透明な合成樹脂製のバイザー本体６のフランジ部６ａを窓枠３の上辺部外側面に両面接着テープ７で接合し、バイザー本体６の庇部６ｂに連結されたブラケット２の上端側を窓枠３の上辺部に装着することによって取り付けられる。
【００２６】
バイザー本体６は、例えばポリカーボネート等の透光性合成樹脂を素材とし、射出成形等により作製されたものであり、バイザー本体６の庇部６ｂは、図２に示すように、フランジ部６ａから遠ざかるにつれて外側に位置するように湾曲した断面形状に形成されている。
【００２７】
ブラケット２は、例えば帯状の鋼板によって作製されたもので、図１、図２に示すように、ブラケット２における主板部２ａの上端側には、窓枠３の断面形状に対応した屈曲部２ｂが形成されており、この屈曲部２ｂを、図２に示すように、窓枠３に下方から係合させることによって窓枠３の上辺部に装着される。ブラケット２における主板部２ａの一端（屈曲部２ｂとは反対側）には、他端側（屈曲部２ｂ側）に向けて緩やかな傾斜面を持って立上った弾性係止片２ｃが形成されている。図１、図２の実施形態においては、弾性係止片２ｃが主板部２ａを斜めに折り返すことによって形成されているが、弾性係止片２ｃとしては、図３に示すように、主板部２ａの一部を斜めに切り起こすことによって形成されたものであってもよい。
【００２８】
バイザー本体６の庇部６ｂの裏面には、庇部６ｂ裏面との間にブラケット２の一端側を挿入するためのスリット８と、スリット８に挿入されたブラケット２の弾性係止片２ｃの先端と係合する抜止め用係止部９とを有する隆起部１０が射出成形等により一体成形されている。そして、弾性係止片２ｃを主板部２ａ側へ弾性変形させつつブラケット２の一端側をスリット８に挿入することにより、スリット８を通過した弾性係止片２ｃの先端が弾性係止片２ｃの弾性復元力によって抜止め用係止部９と係合するように構成されている。
【００２９】
図示の抜止め用係止部９は、スリット８の下方にスリット８と平行に併設した第二のスリットによって形成されており、スリット８を通過した弾性係止片２ｃの先端が第二のスリットから成る抜止め用係止部９に入り込んだ状態に係合するので、ブラケット２とバイザー本体６の連結を強固に行うことができる。しかし、ドアバイザー１を自動車から取り外して廃棄する際には、ブラケット２の一端側を挿入方向に若干移動させた状態で、マイナスドライバーを用いて弾性係止片２ｃを弾性復元力に抗して変形させることによって、弾性係止片先端と抜止め用係止部９との係合を解くことが可能であり、バイザー本体６とブラケット２との分別廃棄（樹脂と金属との分別廃棄）が容易である。
【００３０】
上記の構成によれば、弾性係止片２ｃを主板部２ａ側へ弾性変形させつつブラケット２の一端側をスリット８に挿入することにより、スリット８を通過した弾性係止片２ｃの先端が抜止め用係止部９と係合するので、ブラケット２の一端側をスリット８に差し込むだけで、ブラケット２とバイザー本体６を直接に連結できる。
【００３１】
それでいて、スリット８を形成する隆起部１０自体に抜止め用係止部９を設け、スリット８を通過した弾性係止片２ｃの先端が抜止め用係止部９と係合するように構成したので、ブラケット２の挿入方向での長さを短くすることができ、庇部６ｂを通して外部から目視し得る領域を原理的に狭くすることができ、図２に示すように、ブラケット２の下端をガラスランチャンネル４の下端レベルａよりも適当距離Ｈ上方に位置させることが可能である。
【００３２】
このようにすれば、ドアバイザー１を側面から見たとき、庇部６ｂの裏面に当接しているブラケット２の下端側部分の後方に不透明なガラスランチャンネル４が位置するので、庇部６ｂを通して外部からブラケット２が見えなくなり、ドアバイザーとしての装飾的効果を損なうことがない。
【００３３】
また、ドアバイザーを取り外して廃棄する際、ブラケットの弾性係止片を弾性復元力に抗して変形させることによって、弾性係止片先端と抜止め用係止部との係合を解くことが可能であるため、バイザー本体とブラケットとの分別廃棄（樹脂と金属との分別廃棄）が容易である。
【００３４】
図４は、本考案の他の実施形態を示す。この実施形態は、抜止め用係止部９を隆起部１０の内面（庇部６ｂ裏面と対向する面）を鈍角状に屈曲させた屈曲面によって形成した点に特徴がある。
【００３５】
この構成によれば、弾性係止片２ｃを主板部２ａ側へ弾性変形させつつブラケット２の一端側をスリット８に挿入することにより、スリット８を通過した弾性係止片２ｃの先端が弾性係止片２ｃの弾性復元力によって屈曲面から成る抜止め用係止部９と係合して、抜け止め状態に固定されるが、抜止め用係止部９が鈍角状に屈曲させた屈曲面によって形成されているので、仮想線で示すように、下方からマイナスドライバー１１を差し込むだけで弾性係止片２ｃを弾性復元力に抗して変形させることができ、屈曲面（抜止め用係止部９）と抜止め用係止部９先端との係合を解くことができる。
【００３６】
従って、図２に示した実施形態よりも、バイザー本体６とブラケット２との分別廃棄（樹脂と金属との分別廃棄）が容易である。その他の構成、作用は、先の実施形態と同じであるため、説明を省略する。
【００３７】
尚、図４では、ブラケット２として、図３に示すように、主板部２ａの一部を斜めに切り起こして弾性係止片２ｃを形成したものを用いているが、図１、図２に示したように、主板部２ａを斜めに折り返すことによって弾性係止片２ｃを形成したタイプのブラケット２を用いてもよい。
【図面の簡単な説明】
【００３８】
【図１】本考案の実施形態を例示する要部の分解斜視図である。
【図２】ドアバイザーを自動車の窓枠に取り付けた状態における要部の断面図である。
【図３】ブラケットの他の例を示す斜視図である。
【図４】本考案の他の実施形態を示す要部の断面図である。
【図５】従来例を示す斜視図である。
【図６】従来例を示す断面図である。
【符号の説明】
【００３９】
１  ドアバイザー
２  ブラケット
２ａ  主板部
２ｂ  屈曲部
２ｃ  弾性係止片
３  窓枠
４  ガラスランチャンネル
５  窓ガラス
６  バイザー本体
６ａ  フランジ部
６ｂ  庇部
７  両面接着テープ
８  スリット
９  抜止め用係止部（第二のスリット、屈曲面）
１０  隆起部
１１  マイナスドライバー
【図１】
0003143114.tif 000003
【図２】
0003143114.tif 000004
【図３】
0003143114.tif 000005
【図４】
0003143114.tif 000006
【図５】
0003143114.tif 000007
【図６】
0003143114.tif 000008